(57)【要約】【課題】全世界のタイムゾーンに対応した時刻を表すことが可能な電子時計を提供すること。【解決手段】電子時計１０は、文字板１１の周囲に設けられている外周部と、指針２１，２２，２３，８１と、制御部１５０と、を備え、前記外周部には、協定世界時と、タイムゾーンで使用されている標準時との時差を表す時差情報４５を含む、４０以上６０以下のタイムゾーン表示４６が表記され、制御部１５０は、指針２１で所定のタイムゾーン表示４６を指示する。【選択図】図５
2015102530.tif 000002
【特許請求の範囲】
【請求項１】
文字板の周囲に設けられている外周部と、
指針と、
制御部と、を備え、
前記外周部には、協定世界時と、タイムゾーンで使用されている標準時との時差を表す時差情報を含む、４０以上６０以下のタイムゾーン表示が表記され、
前記制御部は、前記指針で所定の前記タイムゾーン表示を指示することを特徴とする電子時計。
【請求項２】
前記外周部は、ベゼルおよびダイヤルリングの少なくとも一方であることを特徴とする請求項１に記載の電子時計。
【請求項３】
前記タイムゾーン表示の数は、全世界で使用されている前記タイムゾーンの数と等しいことを特徴とする請求項１または２に記載の電子時計。
【請求項４】
前記時差情報は、数字と、数字以外の記号とで表記されていることを特徴とする請求項１から３のいずれか一項に記載の電子時計。
【請求項５】
前記時差情報は、整数の場合には数字で表記され、整数以外の場合には記号で表記されていることを特徴とする請求項４に記載の電子時計。
【請求項６】
前記タイムゾーン表示には、＋８．７５時間の前記時差情報が含まれていることを特徴とする請求項１から５のいずれか一項に記載の電子時計。
【請求項７】
前記タイムゾーン表示には、前記時差に対応した前記標準時を使用している代表都市名を表す都市情報が含まれていることを特徴とする請求項１から６のいずれか一項に記載の電子時計。
【請求項８】
外部信号から求められた現在地の位置情報と時刻情報とを記憶する記憶部を有し、
前記記憶部には、前記時差情報に含まれる前記時差と、前記時差に対応した前記標準時を使用している地域と、の情報を含むタイムゾーン情報が記憶され、
前記制御部は、前記位置情報と、前記時刻情報と、前記タイムゾーン情報と、に基づいて現在地のタイムゾーンを設定することを特徴とする請求項１から７のいずれか一項に記載の電子時計。
【請求項９】
前記現在地のタイムゾーンを、手動で設定できることを特徴とする請求項１から８のいずれか一項に記載の電子時計。
【請求項１０】
４０以上６０以下のタイムゾーンに対応することを特徴とする電子時計。
【発明の詳細な説明】
【技術分野】
【０００１】
本発明は、電子時計に関する。
【背景技術】
【０００２】
従来、衛星信号を利用して現在地の位置情報を算出し、現在地のタイムゾーン（同じ標準時を使用する地域）や、タイムゾーンで使用されている標準時と、協定世界時（ＵＴＣ：Coordinated Universal Time）との時差を表示する電子時計が知られていた。例えば、特許文献１には、地図が表示された文字板と、複数の指針とを備え、地図上に複数の指針で交点を作り、現在地を指示する腕時計が開示されている。また、非特許文献１には、文字板の外周部に３９のタイムゾーンを表記し、指針にて現在地のタイムゾーンを指し示す腕時計が開示されている。これらの腕時計は、ＧＰＳ（Global Positioning System：全地球測位システム）などの航法衛星からの衛星信号を受信する受信部を備え、４個の航法衛星からの信号を受信して現在地の位置情報と時刻情報とを求めて、タイムゾーンの設定および現地時刻の表示をしている。
【先行技術文献】
【特許文献】
【０００３】
【特許文献１】特開２００９−１７５０４４号公報
【非特許文献】
【０００４】
【非特許文献１】「グッズプレス  ＪＵＬＹ  ２０１３」株式会社徳間書店、平成２５年７月１０日、７５−８１頁
【発明の概要】
【発明が解決しようとする課題】
【０００５】
しかしながら、現在では、全世界において、４０種類のタイムゾーンが存在している。このため、特許文献１および非特許文献１に記載の電子時計では、全世界のタイムゾーンに対応することが出来ないという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る電子時計は、文字板の周囲に設けられている外周部と、指針と、制御部と、を備え、前記外周部には、協定世界時と、タイムゾーンで使用されている標準時との時差を表す時差情報を含む、４０以上６０以下のタイムゾーン表示が表記され、前記制御部は、前記指針で所定の前記タイムゾーン表示を指示することを特徴とする。
【０００８】
本適用例によれば、電子時計は、文字板の周囲に設けられている外周部に、時差情報を含むタイムゾーン表示が表記されている。たとえば、代表的なアナログ表示の電子時計には、文字板の外周部に、一周が６０分割された分および秒を表示する目盛が刻まれている。この目盛を利用することで、ＵＴＣと標準時との時差を表す時差情報を含む４０以上のタイムゾーン表示を表記することができる。電子時計は、制御部が所定のタイムゾーン表示（目盛）と、時刻と、を指針で指し示すことで、４０以上および６０以下の異なる時差を有する時刻（タイムゾーンの標準時）を表すことができる。したがって、全世界のタイムゾーンに対応可能な電子時計を提供することができる。
【０００９】
［適用例２］上記適用例に記載の電子時計において、前記外周部は、ベゼルおよびダイヤルリングの少なくとも一方であることが好ましい。
【００１０】
本適用例によれば、外周部は、カバーガラス外周のベゼル、およびカバーガラス内周のダイヤルリングの少なくとも一方である。例えば、腕時計型の電子時計においては、文字板の外周部に位置しているこれらの部品は、文字板の分および秒を表す目盛を取り囲む比較的に広い表示エリアを有しているため、多くの情報量と良好な視認性とを有したタイムゾーン表示を表記することができる。
【００１１】
［適用例３］上記適用例に記載の電子時計において、前記タイムゾーン表示の数は、全世界で使用されている前記タイムゾーンの数と等しいことが好ましい。
【００１２】
本適用例によれば、電子時計に表記されているタイムゾーン表示の数は、全世界で使用されているタイムゾーンの数と等しい。たとえば、電子時計は、文字板の周囲に設けられている外周部にある、分および秒を表示する目盛に、４０種類のタイムゾーンで使用されている標準時との時差を表す時差情報を設定することで、世界で使用されている４０種類のタイムゾーンに対応した時刻を表すことができる。また、現在使用されている標準時とは、異なる標準時を使用する地域（タイムゾーン）が新しく設けられる場合でも、本適用例の電子時計は、６０種類までの時差情報を設定できるので、６０種類までのタイムゾーンに対応した時刻を表すことができる。
【００１３】
［適用例４］上記適用例に記載の電子時計において、前記時差情報は、数字と、数字以外の記号とで表記されていることが好ましい。
【００１４】
本適用例によれば、電子時計は、時差情報を、数字と、数字以外の記号とで表記する。これにより、限定されたスペースにおいても、多くの情報量と良好な視認性を有した時差情報を表記することができる。
【００１５】
［適用例５］上記適用例に記載の電子時計において、前記時差情報は、整数の場合には数字で表記され、整数以外の場合には記号で表記されていることが好ましい。
【００１６】
本適用例によれば、時差が整数か否かで、数字と数字以外の記号とで使い分けて表記する。タイムゾーンで使用されている標準時と、ＵＴＣとの時差の中には、整数で表せない時差があり、例えば、インドでは＋５．５時間（＋５時間３０分）の時差が採用されている。腕時計型の電子時計など、時差情報を記載するスペースに限りがある場合、これらの整数以外の時差に記号を用いることで、表記する文字数を減らすことができるため、多くの情報量と良好な視認性を有した時差情報を表記することができる。
【００１７】
［適用例６］上記適用例に記載の電子時計において、前記タイムゾーン表示には、＋８．７５時間の前記時差情報が含まれていることが好ましい。
【００１８】
本適用例によれば、電子時計は、従来の電子時計が対応している３９種類のタイムゾーンに、＋８．７５時間（＋８時間４５分）を時差とするタイムゾーンを加えた４０種類の時差情報を、例えば、文字板の周囲に設けられている外周部にある、分および秒を表す目盛に設定することで、世界で使用されている全てのタイムゾーンに対応した時刻を表すことができる。
【００１９】
［適用例７］上記適用例に記載の電子時計において、前記タイムゾーン表示には、前記時差に対応した前記標準時を使用している代表都市名を表す都市情報が含まれていることが好ましい。
【００２０】
本適用例によれば、タイムゾーン表示には、時差を表す時差情報と、その時差と同一の標準時を使用するタイムゾーン内の代表都市名を表す都市情報とが含まれている。このことにより、電子時計の使用者は、都市情報から、その代表都市の時差を容易に把握することができる。
【００２１】
［適用例８］上記適用例に記載の電子時計において、外部信号から求められた現在地の位置情報と時刻情報とを記憶する記憶部を有し、前記記憶部には、前記時差情報に含まれる前記時差と、前記時差に対応した前記標準時を使用している地域と、の情報を含むタイムゾーン情報が記憶され、前記制御部は、前記位置情報と、前記時刻情報と、前記タイムゾーン情報と、に基づいて現在地のタイムゾーンを設定することが好ましい。
【００２２】
本適用例によれば、電子時計は、例えば、４個のＧＰＳ衛星などの外部信号を受信し、その信号から算出された位置情報と、時刻情報と、記憶部に記憶されているタイムゾーン情報との照合により、現在地のタイムゾーンと、そのタイムゾーンで使用されている標準時（現地時刻）とを求めることができる。制御部が、現在地のタイムゾーンを設定することにより、現在地のタイムゾーンに対応した現地時刻を表示させることができる。
【００２３】
［適用例９］上記適用例に記載の電子時計において、前記現在地のタイムゾーンを、手動で設定できることが好ましい。
【００２４】
本適用例によれば、電子時計は、タイムゾーンを手動で設定する機能を有しているため、正しいタイムゾーンを電子時計に手動で設定することができる。例えば、タイムゾーンの境界付近でおいて位置情報に含まれている誤差などにより、電子時計に、現在地のタイムゾーンが正しく設定されない場合でも、正しいタイムゾーンを電子時計に手動で設定することができる。これにより、電子時計は、現在地のタイムゾーンに対応した現地時刻を表示させることができる。
【００２５】
［適用例１０］本適用例に係る電子時計は、４０以上６０以下のタイムゾーンに対応することを特徴とする。
【００２６】
本適用例によれば、電子時計は、４０以上および６０以下の異なるタイムゾーンの標準時を表すことができる。したがって、全世界のタイムゾーンに対応可能な電子時計を提供することができる。
【図面の簡単な説明】
【００２７】
【図１】実施形態に係る電子時計を含むＧＰＳの全体図。
【図２】電子時計の全体を示す斜視図。
【図３】電子時計の全体を示す６面図。
【図４】電子時計の概略を示す部分断面図。
【図５】電子時計の外観を示す概略平面図。
【図６】電子時計の電気制御ブロック図。
【図７】電子時計の動作を示すフローチャート図。
【図８】変形例に係る電子時計の外観を示す概略図。
【発明を実施するための形態】
【００２８】
以下、本発明の実施形態について、図面を参照して説明する。なお、以下の各図においては、各層や各部材を認識可能な程度の大きさにするため、各層や各部材の尺度を実際とは異ならせている。
【００２９】
（実施形態）
図１は、実施形態に係る電子時計を含むＧＰＳの全体図である。まず、電子時計が、外部信号としての電波を用いて、現在地の位置情報と、時刻情報とを求めるＧＰＳの概要を説明する。
【００３０】
電子時計１０は、ＧＰＳ衛星８からの電波（衛星信号）を受信して内部時刻を修正する腕時計であり、腕と接触する側の面（以下、裏面という）の反対側の面（以下、表面という）に時刻を表示する。ＧＰＳ衛星８は、地球の上空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号という。衛星信号は、右旋偏波の円偏波である。
【００３１】
現在、約３１個のＧＰＳ衛星８（図１においては、４個のみを図示）が存在しており、衛星信号がどのＧＰＳ衛星８から送信されたかを識別するために、各ＧＰＳ衛星８はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００３２】
ＧＰＳ衛星８は原子時計を搭載しており、衛星信号には原子時計で計時された極めて正確なＧＰＳ時刻情報が含まれている。また、地上のコントロールセグメントにより各ＧＰＳ衛星８に搭載されている原子時計のわずかな時刻誤差が測定されており、衛星信号にはその時刻誤差を補正するための時刻補正パラメーターも含まれている。電子時計１０は、１つのＧＰＳ衛星８から送信された衛星信号を受信し、その中に含まれるＧＰＳ時刻情報と時刻補正パラメーターとを使用して得られた正確な時刻（時刻情報）を内部時刻とする。
【００３３】
衛星信号にはＧＰＳ衛星８の軌道上の位置を示す軌道情報も含まれている。電子時計１０は、ＧＰＳ時刻情報と軌道情報とを使用して測位計算を行うことができる。測位計算は、電子時計１０の内部時刻にある程度の誤差が含まれていることを前提として行われる。
すなわち、電子時計１０の三次元の位置を特定するためのｘ，ｙ，ｚパラメーターに加えて時刻誤差も未知数になる。そのため、電子時計１０は、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００３４】
次に、電子時計１０の概略構成について説明する。図２は、電子時計の外観を示す斜視図であり、図３は、電子時計の外観を示す６面図である。図４は、電子時計の概略を示す部分断面図である。
なお、図３（ａ）は電子時計を表面側から見た平面図である。図３（ｂ）は３時方向から９時方向を見た側面図である。図３（ｃ）は１２時方向から６時方向を見た側面図である。図３（ｄ）は９時方向から３時方向を見た側面図である。図３（ｅ）は６時方向から１２時方向を見た側面図である。図３（ｆ）は裏面側からみた平面図である。また、本実施形態の電子時計は、ワールドタイム機能とクロノグラフ機能を備えている。
【００３５】
図２および図３に示すように、電子時計１０は、外装ケース３０と、カバーガラス３３と、裏蓋３４とを備えている。外装ケース３０は、金属で形成された円筒状のケース３１に、セラミックで形成されたベゼル３２が嵌合されて構成されている。このベゼル３２の内周側に、プラスチックで形成されたリング状のダイヤルリング４０を介して、円盤状の文字板１１が時刻表示部分として配置されている。本実施形態においては、ベゼル３２およびダイヤルリング４０が文字板１１の外周部に相当する。
【００３６】
文字板１１には、指針２１，２２，２３が備えられている。また、文字板１１には、中心より、２時方向に円形の第１小窓７０と指針７１とが、１０時方向に円形の第２小窓８０と指針８１とが、６時方向に円形の第３小窓９０と指針９１とが、４時方向に矩形のカレンダー小窓１５とが、設けられている。文字板１１、指針２１，２２，２３、第１小窓７０、第２小窓８０、第３小窓９０およびカレンダー小窓１５などは、カバーガラス３３を透して、視認可能となっている。
【００３７】
外装ケース３０の側面には、文字板１１の中心より、８時方向の位置にＡボタン６１と、１０時方向の位置にＢボタン６２と、２時方向の位置にＣボタン６３と、４時方向の位置にＤボタン６４と、３時方向の位置にリュウズ５０とが、設けられている。これらのＡボタン６１、Ｂボタン６２、Ｃボタン６３、Ｄボタン６４およびリュウズ５０が操作されることにより、操作に応じた操作信号が出力される。
【００３８】
図４に示すように、電子時計１０は、金属製の外装ケース３０の二つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、指針２１，２２，２３を駆動する駆動機構１４０などとが備えられている。
指針軸２５は、外装ケース３０の平面視中心を通り、表裏方向に延在する中心軸に沿って設けられている。
【００３９】
ダイヤルリング４０は、外周端が、ベゼル３２の内周面に接触しているとともに、一面がカバーガラス３３と並行している平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面と、によりドーナツ形状の収納空間が形成されており、この収納空間内には、リング状のアンテナ体１１０が収納されている。
【００４０】
このアンテナ体１１０は、リング形状の誘電体を基材として、これに金属のアンテナパターンをメッキや銀ペースト印刷などにより形成したものである。このアンテナ体１１０は、文字板１１の外周に配置されており、ベゼル３２の内周面側に配置され、さらにプラスチックで形成されたダイヤルリング４０、およびカバーガラス３３で覆われているため、良好な受信を確保することが可能となっている。誘電体としては、酸化チタンなどの高周波で使える誘電材料を樹脂に混ぜて成形することができ、これにより誘電体の波長短縮と相俟ってアンテナをより小型化できる。
【００４１】
文字板１１は、外装ケース３０の内側で時刻を表示する円形の板材であり、プラスチックなどの光透過性の材料で形成され、カバーガラス３３との間に指針２１，２２，２３などを備え、ダイヤルリング４０の内側に配置されている。
【００４２】
文字板１１と、駆動機構１４０が取り付けられている地板１２５との間には、光発電を行うソーラーパネル１３５が備えられている。ソーラーパネル１３５は、光エネルギーを電気エネルギー（電力）に変換する複数のソーラーセル（光発電素子）を直列接続した円形の平板である。また、ソーラーパネル１３５は、太陽光の検出機能も有している。文字板１１、ソーラーパネル１３５および地板１２５には、指針軸２５と、第１小窓７０の指針７１、第２小窓８０の指針８１および第３小窓９０の指針９１の指針軸（図示せず）とが貫通する穴が形成されているとともに、カレンダー小窓１５の開口部が形成されている。
【００４３】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５を回転させることにより、指針２１，２２，２３が駆動する。また、図２、図３に示す第１小窓７０の指針７１、第２小窓８０の指針８１および第３小窓９０の指針９１も同様の駆動機構（図示せず）を有し、各指針７１，８１，９１が駆動する。
【００４４】
回路基板１２０は、バラン１２１、受信部（ＧＰＳモジュール）１２２、制御部１５０およびリチウムイオン電池などの二次電池１３０を備えている。二次電池１３０は、ソーラーパネル１３５が発電した電力で充電される。また、この回路基板１２０とアンテナ体１１０とは、アンテナ接続ピン１１５を用い接続されている。バラン１２１は、平衡−不平衡の変換素子であり、平衡給電で作動するアンテナ体１１０からの平衡信号を、受信部１２２で扱うことができる不平衡信号に変換する。
【００４５】
アンテナ体１１０は、給電点を通じて給電され、この給電点には、アンテナ体１１０の裏面側に配置されたアンテナ接続ピン１１５が接続されている。アンテナ接続ピン１１５は金属で形成されたピン状のコネクターであり、回路基板１２０に突設されて、地板１２５に開口された挿通孔を貫通されて収納空間内へ挿通されている。これにより、回路基板１２０と、収納空間内部のアンテナ体１１０とが、アンテナ接続ピン１１５で接続されている。
【００４６】
次に、電子時計１０の表示機能について説明する。図５は、電子時計の外観を示す概略平面図である。
図５に示すように、文字板１１の最外周には、外周を６０分割にする目盛と、さらに、その目盛を５分割にする１／５目盛とが、表記されている。この目盛を用いて、指針２１はクロノグラフ機能の「秒」を表示し、指針２２は内部時計の「分」を表示し、指針２３は内部時計の「時」を表示する。なお、クロノグラフ機能は、Ｃボタン６３と、Ｄボタン６４との操作で、使用することができる。
【００４７】
文字板１１に設けられている、円形の第１小窓７０の外周には、外周を６０分割にする目盛と、「１０」から「６０」までの１０刻みの数字が表記されている。指針７１は、この目盛を用いてクロノグラフ機能の「分」を表示する。
【００４８】
文字板１１に設けられている円形の第２小窓８０の外周には、外周を６０分割にする目盛と、「０」から「１１」までの数字が表記されている。指針８１は、この目盛を用いて内部時計の「秒」を表示する。
第２小窓８０の５２秒の位置にアルファベットの「Ｙ」と、３８秒の位置にアルファベットの「Ｎ」の英字が表記されている。この英字は、衛星信号の受信結果（Ｙ：受信成功、Ｎ：受信失敗）と、衛星信号の自動受信（Ｙ：自動受信ＯＮ、Ｎ：自動受信ＯＦＦ）の設定とを表す。使用者がＢボタン６２を操作することにより、指針８１が「Ｙ」または「Ｎ」のいずれか一方を指示し、衛星信号の受信結果を表示する。また、使用者がＡボタン６１とＢボタン６２とを操作して、指針８１を「Ｙ」または「Ｎ」に合わせることで、衛星信号の自動受信のＯＮ／ＯＦＦを設定することができる。また、使用者がＢボタン６２を操作して、電子時計１０に衛星信号を手動受信させた時、指針７１は、衛星の捕捉数量を表示する。
なお、本実施形態では、５２秒の位置に「Ｙ」の表記が、３８秒の位置に「Ｎ」の表記が、設けられているが、これに限定されるものではない。「Ｙ」と「Ｎ」との表記は、受信結果表示８３を含む小窓が設けられる位置に応じて、視認しやすい位置に設けることが好ましい。
【００４９】
文字板１１に設けられている円形の第３小窓９０の外周について説明する。以下の外周の範囲の説明において、「ｎ時方向」（ｎは任意の自然数）とあるが、これは第３小窓９０の中央から円形の外周をみたときの方向である。
第３小窓９０の１２時方向から６時方向までの範囲の外周には、この範囲を６分割する目盛と「０」から「５」までの数字が表記されている。指針９１は、この目盛を用いて、クロノグラフ機能の「時」を表示する。なお、クロノグラフ機能では、指針２１，７１，９１を使用して５時間５９分５９秒までの計時が可能となっている。
【００５０】
第３小窓９０の６時方向から７時方向の範囲の外周には、「ＤＳＴ」の英字と「○」の記号が表記されている。ＤＳＴ（daylight saving time）は夏時間を意味する。これらの英字と記号とは、夏時間（ＤＳＴ：夏時間ＯＮ、○：夏時間ＯＦＦ）の設定を表す。使用者がリュウズ５０とＢボタン６２を操作して、指針９１を「ＤＳＴ」または「○」に合わせることで、電子時計１０に夏時間のＯＮ／ＯＦＦを設定することができる。
【００５１】
第３小窓９０の７時方向から９時方向までの範囲の外周には、円周に沿って、９時方向の基端が太く、７時方向の先端が細い三日月鎌状の記号９２が表記されている。この記号９２は二次電池１３０（図４参照）のパワーインジケーターであり、電池の残量に応じて、指針９１が基端、先端、中間のいずれかを指し示す。
【００５２】
第３小窓９０の９時方向から１０時方向までの範囲の外周には、飛行機形状の記号９３が表記されている。この記号は、機内モードを表す。航空機の離着陸時は、航空法によって衛星信号の受信が禁止されている。使用者はＡボタン６１を操作し、指針９１で記号９３（機内モード）を選択することで、電子時計１０の衛星信号の受信を停止させることができる。
【００５３】
第３小窓９０の１０時方向から１２時方向までの範囲の外周には、「１」の数字と「４＋」の記号が表記されている。これらの数字と記号は、衛星信号の受信モードを表す。「１」はＧＰＳ時刻情報を受信し内部時刻が修正されたことを、「４＋」はＧＰＳ時刻情報と軌道情報とを受信し、内部時刻と後述するタイムゾーンとが修正されたことを意味する。使用者がＢボタン６２を操作することで、指針９１が「１」または「４＋」のいずれかを指し示し、電子時計１０が直前に受信した衛星信号の受信モードを表示する。
【００５４】
カレンダー小窓１５は、文字板１１を矩形状に開口した開口部に設けられており、開口部から数字が視認可能となっている。この数字は、年月日の「日」を表す。
【００５５】
ここで、協定世界時（ＵＴＣ）と、時差と、標準時と、タイムゾーン（Time zone）との関係を説明する。
タイムゾーンとは、共通の標準時を使用する地域のことであり、現在、４０種類のタイムゾーンが存在している。各タイムゾーンは、標準時とＵＴＣとの時差で区別され、例えば、日本は、ＵＴＣより９時間進んだ標準時を使用する、＋９時間のタイムゾーンに属している。各タイムゾーンで使用されている標準時は、ＵＴＣと、ＵＴＣとの時差とで求めることができる。
【００５６】
上述したように、文字板１１には、６０分割された分および秒を表示する目盛が刻まれ、文字板１１の外周部を囲むダイヤルリング４０には、この目盛に沿って、ＵＴＣとの時差を表す時差情報４５が数字と、数字以外の記号と、で表記されている。数字の時差情報４５は整数の時差であり、記号の時差情報４５は整数以外の時差であることを表している。指針２２，２３，８１で表示された内部時刻と、ＵＴＣとの時差は、リュウズ５０の操作により指針２１の指し示す時差情報４５で確認することができる。
電子時計１０は、文字板１１に設けられている６０分割された目盛の一目盛に一時差を割り当てることで最大６０個までの異なる時差に対応した内部時刻を表すことができる。なお、本実施形態では、「ＵＴＣ」記号の時差情報４５は時差の基準である世界協定時を表し、「・」記号の時差情報４５は整数以外の時差を表しているが、他の記号を用いて表記してもよい。
【００５７】
本実施形態では、ダイヤルリング４０の「８」と「９」との数字の間に表記されている「・」記号の時差情報４５は、＋８．７５時間（＋８時間４５分）の時差を表し、ＵＴＣ＋８．７５時間を標準時として使用するタイムゾーンを意味する。現在この標準時を含め、全世界では４０種類のタイムゾーンが存在し、電子時計１０のダイヤルリング４０には、４０種類のタイムゾーンを表す時差が時差情報４５として表記されている。また、タイムゾーンの表示は６０種類以内とすることが好適である。６０種類を超えると表示が小さくなり、判別することが困難になる可能性がある。
【００５８】
ダイヤルリング４０の周囲に設けられているベゼル３２には、ダイヤルリング４０に表記されている時差情報４５の時差に対応した標準時を使用しているタイムゾーンの代表都市名を表す都市情報３５が、時差情報４５に併記されている。本実施形態では、都市名を三文字のアルファベットで略したスリーレターコードを使用して都市情報３５が表記されている。「ＬＯＮ」はロンドン、「ＰＡＲ」はパリ、「ＣＡＩ」はカイロ、「ＪＥＤ」はジッダ、「ＤＸＢ」はドバイ、「ＫＨＩ」はカラチ、「ＤＥＬ」はデリー、「ＤＡＣ」はダッカ、「ＢＫＫ」はバンコク、「ＢＪＳ」は北京、「ＴＹＯ」は東京、「ＡＤＬ」はアデレード、「ＳＹＤ」はシドニー、「ＮＯＵ」ネーメア、「ＷＬＧ」はウェリントン、「ＴＢＵ」はヌクアロファ、「ＣＸＩ」はキリスィマスィ島、「ＭＤＹ」はミッドウェー島、「ＨＮＬ」はホノルル、「ＡＮＣ」はアンカレッジ、「ＬＡＸ」はロサンゼルス、「ＤＥＮ」はデンバー、「ＣＨＩ」はシカゴ、「ＮＹＣ」はニューヨーク、「ＣＣＳ」はカラカス、「ＳＣＬ」はサンティアゴ、「ＲＩＯ」はリオデジャネイロ、「ＦＥＮ」はフェルナンド・デ・ノローニャ諸島、「ＰＤＬ」はアゾレス諸島をそれぞれ表している。例えば、「ＴＹＯ」のコードは東京を表し、このコードに対応してダイヤルリング４０に併記されている時差情報４５の数字「９」より、東京はＵＴＣ＋９時間の標準時を使用していることを容易に判断することができる。また、「ＣＸＩ」のコードはキリスィマスィ島を表し、このコードに対応してダイヤルリング４０に併記されている時差情報４５の数字「１４」より、キリスィマスィ島はＵＴＣ＋１４時間の標準時を使用していることを容易に判断することができる。なお、本実施形態では、表示スペースの制約と視認性の向上との為、一部の時差情報４５の時差に対応する代表都市名の表記は省略されている。また、代表都市名の表記方法は一例であり、他の方法で表記してもよい。時差情報４５と都市情報３５との表記をタイムゾーン表示４６という。本実施形態では、全世界で使用されているタイムゾーンの数と等しいタイムゾーン表示４６が表記されている。
【００５９】
次に、電子時計１０の電気的構成について説明する。
図６は、電子時計の電気制御ブロック図である。図６に示すように、電子時計１０は、ＣＰＵ（中央処理装置）１５３、ＲＡＭ（Random Access Memory）１５４、ＲＯＭ（Read Only Memory）１５５を基本構成とする制御部１５０と、受信部（ＧＰＳモジュール）１２２、入力装置１５７、駆動機構１４０の周辺装置とを備えている。これらの各装置は、データバス１５９を介してデータを送受信する。入力装置１５７は、図５に示すリュウズ５０、Ａボタン６１、Ｂボタン６２、Ｃボタン６３、Ｄボタン６４である。なお、電子時計１０は、電源となる充電可能な二次電池１３０（図４参照）を内蔵している。
【００６０】
受信部１２２は、アンテナ体１１０を備え、アンテナ体１１０を介して受信した衛星信号を処理してＧＰＳ時刻情報や位置情報を取得する。アンテナ体１１０は、地球の上空を所定の軌道で周回している複数のＧＰＳ衛星８（図１参照）から送信され、図４に示すカバーガラス３３とダイヤルリング４０とを通過した衛星信号の電波を受信する。
【００６１】
そして、受信部１２２は、図示を略すが、通常のＧＰＳ装置と同様に、ＧＰＳ衛星８（図１参照）から送信される衛星信号を受信してデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）からＧＰＳ時刻情報や位置情報（測位情報）を取得して出力する情報取得部とを備えている。つまり、受信部１２２は、ＧＰＳ衛星８から送信される衛星信号を受信し、受信結果に基づいてＧＰＳ時刻情報と位置情報とを出力する受信部として機能する。
【００６２】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００６３】
ＢＢ部は、ＧＰＳ衛星８で送信時に使用されたものと同一のＣ／Ａコードからなるローカルコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００６４】
情報取得部は、ＢＢ部で復調した航法メッセージからＧＰＳ時刻情報や位置情報を取得する。航法メッセージには、プリアンブルデータ及びＨＯＷワードのＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星８毎の詳細な軌道情報）や、アルマナック（全ＧＰＳ衛星８の概略軌道情報）などのデータが含まれている。したがって、情報取得部は、受信した航法メッセージから所定のデータ部分を抽出することにより、ＧＰＳ時刻情報や航法情報を取得することができる。
【００６５】
ＲＡＭ１５４とＲＯＭ１５５とは、電子時計１０の記憶部である。
ＲＯＭ１５５には、ＣＰＵ１５３に実行されるプログラムやタイムゾーン情報などが記憶される。タイムゾーン情報とは、共通の標準時を使用する地域（タイムゾーン）の位置情報（緯度・経度）と、ＵＴＣに対する時差と、を管理するデータである。
ＣＰＵ１５３は、ＲＡＭ１５４を作業領域として使用し、ＲＯＭ１５５に記憶されたプログラムを実行することにより、各種の演算、制御および計時を行う。この計時は、例えば、図示しない発振回路からの基準信号のパルス数を計数することによって行われる。
【００６６】
ＣＰＵ１５３は、ＧＰＳ時刻情報と時刻補正パラメーターとから算出した時刻情報と、ＧＰＳ時刻情報と軌道情報とから算出した現在地の位置情報（緯度、経度）と、ＲＯＭ１５５（記憶部）に記憶されたタイムゾーン情報とに基づいて内部時計を修正する。ＣＰＵ１５３は、内部時刻が表示されるように、駆動機構１４０を駆動する制御を行う。これにより、電子時計１０には、指針２２，２３，８１（図５参照）により内部時刻が表示される。
【００６７】
次に、電子時計１０の動作について説明する。図７は、電子時計１０のタイムゾーン設定の流れを示すフローチャートである。
【００６８】
まず、ステップＳ１では、ＣＰＵ１５３は、Ｂボタン６２の操作、またはソーラーパネル１３５への太陽光照射の検知などにより、受信部１２２を駆動して衛星信号を受信して、ＧＰＳ時刻情報や軌道情報などを取得し、現在地の位置情報を算出する。
【００６９】
ステップＳ２では、ＣＰＵ１５３は、現在地の位置情報に応じたタイムゾーンを取得する。具体的には、ＣＰＵ１５３は、位置情報と上述のタイムゾーン情報とを比較することで、現在地のタイムゾーンを特定し、ＲＡＭ１５４に設定（自動設定）する。
【００７０】
ステップＳ３では、ＣＰＵ１５３は、設定されたタイムゾーンによって内部時刻の修正を行う。具体的には、衛星信号に含まれるＧＰＳ時刻情報と時刻補正パラメーターとからＵＴＣを算出し、算出したＵＴＣに設定されたタイムゾーンで使用されている時差を加えて現地時刻（タイムゾーンの標準時）を算出し、算出した現地時刻を内部時刻とする。
【００７１】
ステップＳ４では、ＣＰＵ１５３は、駆動機構１４０（図４参照）を駆動して現地時刻（内部時刻）を表示する。
【００７２】
ステップＳ５では、ＣＰＵ１５３は、リュウズ５０の操作を検知し、駆動機構１４０（図４参照）を駆動することにより、指針２１（図５参照）がステップＳ２で設定したタイムゾーンに対応したタイムゾーン表示４６（図５参照）を指示する。
【００７３】
ステップＳ６では、使用者は指針２１の指した時差（タイムゾーン）の修正が必要かを判断し、ＣＰＵ１５３はタイムゾーンの修正操作がされたかを判断する。修正操作がされた場合（Ｓ６：Ｙｅｓ）にはステップＳ７へ進む。修正操作がされなかった場合（Ｓ６：Ｎｏ）にはステップＳ９へ進む。
【００７４】
ステップＳ７では、ＣＰＵ１５３は、リュウズ５０の操作を検知し、駆動機構１４０（図４参照）を駆動することにより、指針２１を正しいタイムゾーンに対応したタイムゾーン表示４６（図５参照）に移動させ、正しいタイムゾーンをＲＡＭ１５４に設定する。なお、この動作は、使用者がリュウズ５０を操作して任意のタイムゾーン表示４６（図５参照）を選択するのでタイムゾーンの手動設定という。
【００７５】
ステップＳ８では、ＣＰＵ１５３は、手動設定されたタイムゾーンによって内部時刻の修正を行う。
【００７６】
ステップＳ９では、ＣＰＵ１５３は、リュウズ５０の操作を検知し、駆動機構１４０（図４参照）を駆動して現地時刻を表示する。
【００７７】
なお、本実施形態で説明した入力装置１５７（Ａボタン６１、Ｂボタン６２、Ｃボタン６３、Ｄボタン６４、リュウズ５０）の操作は一例であり、説明と異なる入力装置を用いて操作させてもよい。
また、本実施形態では、電子時計１０はソーラーパネル１３５による発電と二次電池１３０とを駆動源とするものと説明したが、一次電池方式、他の充電方式、を用いてもよい。一次電池方式を駆動源とすることで外装ケース３０内の機構を簡単にすることが可能となる。また、電磁誘導などの充電方式で蓄電する二次電池を駆動源とすることで光発電を行うには十分な光照射がない場所や電池交換が難しい場所においても、本発明の電子時計を利用することができる。
【００７８】
以上述べたように、本実施形態に係る電子時計１０によれば、以下の効果を得ることができる。電子時計１０は、ＵＴＣ＋８．７５時間の標準時を使用する地域（タイムゾーン）に対応した時差を含む４０種類の時差が、分および秒を表す目盛に設定され、ダイヤルリング４０とベゼル３２とにそのタイムゾーン表示４６が表記されている。
また、電子時計１０は、衛星信号を受信し、その信号から算出された現在地の位置情報と時刻情報とにより、現在地のタイムゾーンを求めて現地時刻を表示する機能を備えている。したがって、全世界（４０地域）のタイムゾーンに対応した時刻を表すことが可能な電子時計を提供することができる。
【００７９】
なお、本発明は上述した実施形態に限定されず、上述した実施形態に種々の変更や改良などを加えることが可能である。変形例を以下に述べる。
【００８０】
（変形例）
図８は、変形例に係る電子時計の外観を示す概略図である。
上記実施形態では、図５のように、電子時計１０はクロノグラフ機能を有しているものとして説明したが、この構成に限定するものではない。
以下、変形例に係る電子時計２００について説明する。なお、実施形態と同一の構成部位については、同一の符号を附し、重複する説明は省略する。
【００８１】
図８に示すように、文字板１２の外周には、外周を６０分割にする目盛が表記されている。この目盛を用いて、指針２２，２３，２４は内部時計の時刻を表示する。
文字板１２には、視認性のよい、中心より３時の方向に矩形のカレンダー小窓１６が設けられている。カレンダー小窓１６は、文字板１２を開口して設けられており、開口部から数字が視認可能となっている。この数字は、年月日の「日」を表す。
【００８２】
文字板１２には、６０分割された分および秒を表示する目盛が刻まれ、文字板１２の周囲に設けられている外周部には、この目盛に沿って、全世界で使用されている４０種類のタイムゾーン表示４６が表記されている。指針２２，２３，２４で表示された内部時刻のタイムゾーンは、リュウズ５０の操作により指針２４の指し示すタイムゾーン表示４６で確認することができる。
【００８３】
以上述べたように、本変形例に係る電子時計２００によれば、実施形態での効果に加えて、以下の効果を得ることができる。
電子時計２００は、４０種類のタイムゾーンに対応したワールドタイム機能を有している。クロノグラフ機能を省くことにより、全世界のタイムゾーンに対応した電子時計２００の操作性と視認性を向上させることができる。
【符号の説明】
【００８４】
８…ＧＰＳ衛星、１０…電子時計、１１，１２…文字板、１５，１６…カレンダー小窓、２１，２２，２３，２４…指針、２５…指針軸、３０…外装ケース、３１…ケース、３２…ベゼル、３３…カバーガラス、３４…裏蓋、３５…都市情報、４０…ダイヤルリング、４５…時差情報、４６…タイムゾーン表示、５０…リュウズ、６１…Ａボタン、６２…Ｂボタン、６３…Ｃボタン、６４…Ｄボタン、７０…第１小窓、７１…指針、８０…第２小窓、８１…指針、９０…第３小窓、９１…指針、１１０…アンテナ体、１２０…回路基板、１２２…受信部、１２５…地板、１３０…二次電池、１３５…ソーラーパネル、１４０…駆動機構、１５０…制御部、１５３…ＣＰＵ、１５４…ＲＡＭ、１５５…ＲＯＭ、１５７…入力装置、１５９…データバス、２００…電子時計。
【図１】
2015102530.tif 000003
【図２】
2015102530.tif 000004
【図３】
2015102530.tif 000005
【図４】
2015102530.tif 000006
【図５】
2015102530.tif 000007
【図６】
2015102530.tif 000008
【図７】
2015102530.tif 000009
【図８】
2015102530.tif 000010